(57)【要約】【課題】桟瓦と隅棟瓦との一体感をもたせた美観を有し、かつ、葺設時に充分な強度を発揮出来る隅棟瓦を提供すること。【解決手段】本発明の隅棟瓦は、断面形状を山形形状に形成した隅棟瓦本体１と三角状に突出した頭部４と三角状に切り欠いた尻部３と山形形状の両端側に側部５を設け、頭部４は下方に突出した頭見付け面６を設け、側部５は側部見付け面７を設け、幅が長さよりも短い細長形状の隅棟瓦において側部見付け面７を薄くし、側部下面を切り欠いた形状のものである。側部見付け面７を薄くすることで桟瓦と隅棟瓦の一体感をもたせた美観を有することができ、かつ、側部下面を切り欠くことで隅棟瓦の葺設時に側部見付け面７は桟瓦上面と当接しないため、側部見付け面７に荷重をかけることなく葺設できることを特徴とする。【選択図】        図１
2018066247.tif 000002
【特許請求の範囲】
【請求項１】
断面形状を山形形状に形成した隅棟瓦本体と三角状に突出した頭部と三角状に切り欠いた尻部と山形形状の両端側に側部を設け、頭部は下方に突出した頭見付け面を設け、側部は側部見付け面を設け、幅が長さよりも短い細長形状の隅棟瓦において、側部見付け面を薄くし、側部下面を切り欠いたことを特徴とする隅棟瓦。
【請求項２】
尻部下面を切り欠いた尻部下面切り欠きを設け、頭見付け面の下方突出寸法が隅棟瓦を葺設した際に頭部下面と尻部上面との間に隙間を有する寸法としたことを特徴とする請求項１記載の隅棟瓦。
【請求項３】
頭見付け面と側部見付け面とが接する箇所に側部立ち下がり面を設け、前記側部立ち下がり面と接する頭見付け面の両側を曲面にした頭見付け曲面を設けたことを特徴とする請求項１又は請求項２に記載の隅棟瓦。
【請求項４】
平板状の桟瓦が葺設される瓦屋根の隅棟部で、隅棟の両側にある隅棟に合わせてカットした桟瓦の上面に粘着防水するテープ状の防水部材を貼り、前記防水部材上面を隅棟瓦の葺設時に隅棟瓦の側部下面切り欠きの内側に設けた裏面平坦部で押さえられる構造としたことを特徴とした請求項１から請求項３のいずれかに記載の隅棟瓦。
【請求項５】
請求項１から請求項４のいずれかに記載の隅棟瓦を葺設した隅棟構造であって、平板状の桟瓦が葺設される瓦屋根で隅棟の両側にある桟瓦の上面に隅棟瓦を葺設する隅棟部において、前記隅棟瓦の側部下面切り欠き及び尻部下面切り欠きの内側に設けた裏面平坦部で桟瓦の上面に載り、前記隅棟瓦の外周の下面は宙に浮いていることを特徴とした隅棟瓦を葺設した隅棟構造
【発明の詳細な説明】
【技術分野】
【０００１】
本発明は、屋根の隅棟部に葺設される隅棟瓦に関する。
【背景技術】
【０００２】
従来技術の特許文献には、特開平3-247841の隅棟瓦がある。この特許文献では、屋根に葺設された桟瓦が流れ方向で階段状に葺設されるのに対し、隅棟瓦も同様に階段状に葺設する事で桟瓦との葺設形態を一致させ、桟瓦と隅棟瓦に統一性を具有させ、隅棟部の機能美の向上を図る提案がされている。
【先行技術文献】
【特許文献】
【０００３】
【特許文献１】特開平３−２４７８４１号公報
【発明の概要】
【発明が解決しようとする課題】
【０００４】
図３に従来技術による隅棟瓦の投影図、断面図及び隅棟瓦と桟瓦の隅棟部に葺設した断面の状態を示した。従来技術の説明の箇所には図３の符号を記載する。
図３（ａ）は隅棟瓦の表面図、図１（ｂ）は隅棟瓦の裏面図、図１（ｃ）は隅棟瓦の左側面図、図１（ｄ）は隅棟瓦の正面図、図１（ｅ）は隅棟瓦の背面図、図１（ｆ）は隅棟瓦のＡ-Ａ断面図、図１（ｇ）は隅棟瓦と桟瓦の隅棟部に葺設した断面図を示している。
従来技術製品では、隅棟瓦の側部見付け面７が厚く２１ｍｍ〜２３ｍｍ程度の厚みのものが多い。
図3（ｆ）の断面図で示したとおり側部見付け面７は強度を出すために下方へ突出している。基本の厚さが１８ｍｍ〜２０ｍｍ程度であり、下方の突出リブが３ｍｍ程度なので側部見付け面７は２１ｍｍ〜２３ｍｍ程度の厚みになっている。
【０００５】
図３（ｃ）に示したとおり、隅棟瓦の頭見付け面６と側部見付け面７が接する箇所に側部立ち下がり面８を設けている。桟瓦２の桟瓦頭見つけ面１８と隅棟瓦の頭見付け面６は側部立ち下がり面８の距離分だけ離れる。この距離が大きいほど屋根への葺設時では桟瓦２と段違いに見えるため、隅棟瓦が桟瓦２の上に別部材として載っている印象が強なり桟瓦２と隅棟瓦との一体感に欠けていた。
【０００６】
図3（ｇ）の施工断面図で示したとおり、隅棟の施工時に隅棟の両側にある桟瓦２の上面に粘着防水するテープ状の防水部材１４を貼り防水をするが、熱などによる経時変化によって膨張収縮を繰り返し粘着力が弱くなり剥がれてくることがある。そのため、防水部材１４の剥がれを防止するために防水部材１４の端部に発泡弾性止水部材１７を貼り、隅棟下地材１６にパッキン付きビス２１で隅棟瓦本体１を留め付けることで隅棟瓦本体１の裏面で発泡弾性止水部材１７押さえるという煩雑な施工が必要であった。
【０００７】
しかし、単純に側部見付け面７を薄くすることは隅棟瓦の強度低下につながって割れやカケの問題が発生してしまう。本発明は、桟瓦２と隅棟瓦との一体感をもたせた美観を有し、かつ、葺設時に充分な強度を発揮出来る隅棟瓦を提供することを目的とする。
【課題を解決するための手段】
【０００８】
請求項１記載の本発明の隅棟瓦は、断面形状を山形形状に形成した隅棟瓦本体と三角状に突出した頭部と三角状に切り欠いた尻部と山形形状の両端側に側部を設け、頭部は下方に突出した頭見付け面を設け、側部は側部見付け面を設け、幅が長さよりも短い細長形状の隅棟瓦において、側部見付け面を薄くし、側部下面を切り欠いたことを特徴とする。
【０００９】
請求項２記載の本発明は、請求項１に記載の隅棟瓦において、尻部下面を切り欠いた尻部下面切り欠きを設け、頭見付け面の下方突出寸法が隅棟瓦を葺設した際に頭部下面と尻部上面との間に隙間を有する寸法としたことを特徴とする。
【００１０】
請求項３記載の本発明は、請求項１又は請求項２に記載の隅棟瓦において、頭見付け面と側部見付け面とが接する箇所に側部立ち下がり面を設け、前記側部立ち下がり面と接する頭見付け面の両側を曲面にした頭見付け曲面を設けたことを特徴とする。
【００１１】
請求項４記載の本発明は、請求項１から請求項３のいずれかに記載の隅棟瓦において、平板状の桟瓦が葺設される瓦屋根の隅棟部で、隅棟の両側にある隅棟に合わせてカットした桟瓦の上面に粘着防水するテープ状の防水部材を貼り、前記防水部材上面を隅棟瓦の葺設時に隅棟瓦の側部下面切り欠きの内側に設けた裏面平坦部で押さえられる構造としたことを特徴とする。
【００１２】
請求項５記載の本発明の隅棟瓦を葺設した隅棟構造は、請求項１から請求項４のいずれかに記載の隅棟瓦を葺設した隅棟構造であって、平板状の桟瓦が葺設される瓦屋根で隅棟の両側にある桟瓦の上面に隅棟瓦を葺設する隅棟部において、前記隅棟瓦の側部下面切り欠き及び尻部下面切り欠きの内側に設けた裏面平坦部で桟瓦の上面に載り、前記隅棟瓦の外周の下面は宙に浮いていることを特徴とする。
【発明の効果】
【００１３】
本発明の隅棟瓦によれば、隅棟瓦の側部見付け面を薄くすることで、葺設時において桟瓦と隅棟瓦との一体感をもたせた美観を有し、かつ、側部見付け面を薄くしても隅棟瓦が強度低下せず、葺設時に充分な強度を発揮することができる。
【図面の簡単な説明】
【００１４】
【図１】本発明の実施例による隅棟瓦の投影図、断面図及び斜視図
【図２】本発明の実施例による隅棟瓦と桟瓦の隅棟部に葺設した状態を示す斜視図及び断面図
【図３】従来技術による隅棟瓦の投影図、断面図及び隅棟瓦と桟瓦の隅棟部に葺設した状態を示す断面図
【発明を実施するための形態】
【００１５】
本発明の第１の実施の形態による隅棟瓦は、断面形状を山形形状に形成した隅棟瓦本体と三角状に突出した頭部と三角状に切り欠いた尻部と山形形状の両端側に側部を設け、頭部は下方に突出した頭見付け面を設け、側部は側部見付け面を設け、幅が長さよりも短い細長形状の隅棟瓦において側部見付け面を薄くし、側部下面を切り欠いた形状のものである。本実施の形態によれば、側部見付け面を薄くすることで桟瓦と隅棟瓦の一体感をもたせた美観を有することができ、かつ、側部下面を切り欠くことで隅棟瓦の葺設時に側部見付け面は桟瓦上面と当接しないため、側部見付け面に荷重をかけることなく葺設できる。
【００１６】
本発明の第２の実施の形態は、第１の実施の形態による隅棟瓦において、尻部下面を切り欠いた尻部下面切り欠きを設け、頭見付け面の下方突出寸法が隅棟瓦を葺設した際に頭部下面と尻部上面との間に隙間を有する寸法としたものである。本実施の形態によれば、尻部下面が桟瓦上面と当接せず、頭部下面が隅棟瓦の尻部上面と当接しないため、頭尻方向での剪断応力を弱めることができ、側部見付け面を薄くしても充分な強度を得ることができる。
【００１７】
本発明の第３の実施の形態は、第１又は第２の実施の形態による隅棟瓦において、頭見付け面と側部見付け面とが接する箇所に側部立ち下がり面を設け、前記側部立ち下がり面と接する頭見付け面の両側を曲面にした頭見付け曲面を設けたものである。本実施の形態によれば、頭見付け面を曲面にすることで側部立ち下がり面を小さくすることができ、桟瓦の頭見付け面からの出っ張り感を抑え、桟瓦と隅棟瓦の一体感をもたせた美観を有することができる。
【００１８】
本発明の第４の実施の形態は、第１から第３のいずれかの実施の形態による隅棟瓦において、平板状の桟瓦が葺設される瓦屋根の隅棟部で、隅棟の両側にある隅棟に合わせてカットした桟瓦の上面に粘着防水するテープ状の防水部材を貼り、前記防水部材上面を隅棟瓦の葺設時に隅棟瓦の側部下面切り欠きの内側に設けた裏面平坦部で押さえられる構造としたものである。本実施の形態によれば、テープ状の防水部材を裏面平坦部で押さえることで経時変化で起こる防水部材の粘着性の低下を補うことができ、長期に防水性能を保持することができる。
【００１９】
本発明の第５の実施の形態による隅棟瓦を葺設した隅棟構造は、第１から第４のいずれかに記載の隅棟瓦を用い、平板状の桟瓦が葺設される瓦屋根で隅棟の両側にある桟瓦の上面に隅棟瓦を葺設する隅棟部において、前記隅棟瓦の側部下面切り欠き及び尻部下面切り欠きの内側に設けた裏面平坦部で桟瓦の上面に載り、前記隅棟瓦の外周の下面は宙に浮いているものである。本実施の形態によれば、隅棟瓦に掛かった荷重は隅棟瓦の外周部には掛からず裏面内側の裏面平坦部に掛かるため、葺設時の強度が向上し、割れやカケを発生させにくい構造とすることができる。
【実施例】
【００２０】
以下本発明の実施例による隅棟瓦について説明する。
図１は実施例による隅棟瓦の投影図、断面図及び斜視図である。
図１（ａ）は隅棟瓦の表面図、図１（ｂ）は隅棟瓦の裏面図、図１（ｃ）は隅棟瓦の左側面図、図１（ｄ）は隅棟瓦の正面図、図１（ｅ）は隅棟瓦の背面図、図１（ｆ）は隅棟瓦のＡ-Ａ断面図、図１（ｇ）は隅棟瓦の斜視図を示している。なお、本明細書及び図面においては、同一の符号が付された構成要素は、実質的に同一の構造または機能を有するものとする。
【００２１】
実施例による隅棟瓦は、隅棟瓦本体１と、尻部３と、頭部４と、側部５と、頭見付け面６と、側部見付け面７と、側部立ち下がり面８と側部下面切り欠き９と、尻部下面切り欠き１０と頭見付け曲面１１と裏面平坦部１２と、釘穴１５と、裏面水平部１９と、尻部水返し２０を備えている。
隅棟瓦は、断面形状を山形形状に形成した隅棟瓦本体１と三角状に突出した頭部４と三角状に切り欠いた尻部３と山形形状の両端側に側部５を設け、頭部４は下方に突出した頭見付け面６を設け、側部５は側部見付け面７を設け、隅棟瓦本体１の幅は長さよりも短く、細長形状になっている。
隅棟瓦本体１の厚さは従来技術による隅棟瓦より薄く、側部５で側部下面を切り欠くことで側部見付け面７は薄くなっている。
隅棟瓦本体１の裏面は裏面外側に側部下面切り欠き９があり、その内側に裏面平坦部１２があり、中央部は葺設時に水平となる裏面水平部１９を備え中心から左右線対称となっている。
隅棟瓦本体１の断面形状は表面が山形形状で裏面の中央部は水平なので中心部が最も厚く、頭尻方向での剪断強度において強度向上に寄与している。
尻部３の端には尻部水返し２０を設けることで、頭見付け方向からの風雨に対し防水性能を向上させることができる。
【００２２】
実施例による隅棟瓦の山形形状の頂部角度は隅棟の角度と桟瓦の戻り勾配により最適な角度は変化する。
隅棟を有する寄棟屋根の場合、屋根勾配は４寸勾配〜５寸勾配が多く、平板状の桟瓦２の戻り勾配が１寸〜１．２寸勾配あるため、隅棟瓦の頂部角度は１４０〜１５５度の範囲の角度が好ましい。
三角状に突出した頭部４と三角状に切り欠いた尻部３は図１（ａ）に示すように約９０度であり、隅棟瓦の適用屋根勾配を最も多い４寸〜５寸勾配とした場合、その角度は９２〜９４度が好ましい。
隅棟瓦本体１の幅は１８０〜２４０ｍｍ、長さは５００〜５２０ｍｍが好ましい。
【００２３】
本発明の実施例の側部見付け面７の厚さは１１ｍｍであり、７〜１２ｍｍの範囲が好ましく、従来技術による隅棟瓦の側部見付け面７の厚さと比べると１／３〜１／２程度と側部見付け面７は薄い。
隅棟瓦の側部見付け面７は、従来技術による隅棟瓦の側部見付け面７の１／３〜１／２の厚さと薄いが、側部下面切り欠き９を設けることで側部見付け面７に荷重が掛からず、側部下面切り欠き９の内側の裏面平坦部１２で荷重を受けるため、強度が向上し割れや欠け防止に効果を発揮する。
側部下面切り欠き９の切り欠き寸法は、２〜４ｍｍが好ましい。
【００２４】
図２は実施例による隅棟瓦と桟瓦の隅棟部に葺設した状態を示す斜視図及び断面図である。
図２（ａ）は隅棟瓦と桟瓦の隅棟部に葺設した状態を示す斜視図、図２（ｂ）は図２（ａ）の状態でのＢ-Ｂ断面図、図２（ｃ）は図２（ｂ）の隅棟瓦の重なり部の拡大図を示している。なお、本明細書及び図面においては、同一の符号が付された構成要素は、実質的に同一の構造または機能を有するものとする。
実施例による隅棟瓦は、尻部３の下面を切り欠いた尻部下面切り欠き１０を設け、頭見付け面６の下方突出寸法が隅棟瓦を葺設した際に隅棟瓦の頭部下面と隅棟瓦の尻部上面との間に隙間１３を有する寸法とする。
隅棟瓦の裏面において尻部下面切り欠き１０の内側には側部下面切り欠き９と、裏面平坦部１２と、裏面水平部１９を備えている。
尻部下面切り欠き１０を設けることで尻部裏面端部は葺設時に宙に浮いている状態になり割れや欠け防止に効果を発揮する。
尻部下面切り欠き１０の切り欠き寸法は、２〜４ｍｍが好ましい。
下方突出寸法は、側部見付け面７と平行方向で１７〜２３ｍｍが好ましく、側部見付け面７の厚さと桟瓦の頭見付け面１８の厚さ寸法により下方突出寸法は変化する。
隅棟瓦の頭部下面と隅棟瓦の尻部上面との間に隙間１３を設ける寸法は、隅棟瓦高さ寸法Ｌ１が桟瓦高さ寸法Ｌ２より小さいことが条件となる。
隅棟瓦高さ寸法Ｌ１は、２９〜３１ｍｍが好ましく、桟瓦高さ寸法Ｌ２は、３１〜３３ｍｍが好ましい。
Ｌ２寸法−Ｌ１寸法＝隙間１３の式で算出することができる。
隅棟瓦は細長形状なので隅棟瓦本体１を薄くすると頭尻方向で剪断しやすくなるが、尻部下面切り欠き１０と隅棟瓦の頭部下面と隅棟瓦の尻部上面との間に隙間１３を備えることで頭尻方向の剪断応力に対する強度が向上する。
尻部上面の端に尻部水返し２０を備えることで隙間１３があっても頭見付け方向からの風雨に対して防水性能を発揮することができる。
【００２５】
隅棟瓦の頭見付け面６と側部見付け面７とが接する箇所に側部立ち下がり面９を設け、前記側部立ち下がり面８と接する頭見付け面６の両側を曲面にした頭見付け曲面１１を設ける。
頭見付け面６の両側を曲面にすることで側部立ち下がり面８の長さ寸法を短くすることができ、桟瓦２の桟瓦頭見つけ面１８と隅棟瓦の頭見付け面６が側部立ち下がり面８の距離分だけ離れる。この距離が小さいほど屋根への葺設時に桟瓦頭見付け面１８と隅棟瓦の頭見付け曲面１１が近くなり桟瓦２と隅棟瓦に一体感がでる。
【００２６】
平板状の桟瓦２が葺設される瓦屋根の隅棟部で、隅棟の両側にある隅棟に合わせてカットした桟瓦２の上面に粘着防水するテープ状の防水部材１４を貼り、前記防水部材１４上面を隅棟瓦の葺設時に隅棟瓦の側部下面切り欠き９の内側に設けた裏面平坦部１２で押さえられる構造とする。
野地面の隅棟芯に隅棟下地１６を固定し、隅棟芯を跨いでカットした桟瓦の上面に防水部材１４を貼り、隅棟瓦をパッキン付きビス２１で隅棟下地１６に固定することで裏面平坦部１２により防水部材１４の端を押さえ、防水部材１４の剥がれを防止することができる。
直接裏面平坦部１２で防水部材１４の端を押さえることができるので、従来技術で使用する発泡弾性止水部材１７を使用することがなく施工も簡略化ができるので、材料と手間の両方をコストダウンできる。
【００２７】
隅棟瓦を葺設した隅棟構造で平板状の桟瓦２が葺設される瓦屋根で隅棟の両側にある桟瓦２の上面に隅棟瓦を葺設する隅棟部において、前記隅棟瓦の側部下面切り欠き９及び尻部下面切り欠き１０の内側に設けた裏面平坦部１２で桟瓦２の上面に載り、前記隅棟瓦の外周の下面は宙に浮いている構造とする。
隅棟瓦本体１の厚みを全体的に３割ほど薄くすることで、側部見付け面７を薄くし、桟瓦２と隅棟瓦の一体感をもたすためには、屋根瓦として使用上問題の無い強度を発揮する必要がある。
隅棟瓦の外周部が宙に浮き、裏面平坦部１２で桟瓦２の上に載ることで、隅棟瓦の裏面内側に荷重が掛かることとなり、幅方向、長さ方向共に剪断応力に対する強度が向上する。
【産業上の利用可能性】
【００２８】
本発明は、平板状の桟瓦における隅棟部での隅棟瓦として適している。
【符号の説明】
【００２９】
１         隅棟瓦本体
２         桟瓦
３         尻部
４         頭部
５         側部
６         頭見付け面
７         側部見付け面
８         側部立ち下がり面
９         側部下面切り欠き
１０       尻部下面切り欠き
１１       頭見付け曲面
１２       裏面平坦部
１３       隙間
１４       防水部材
１５       釘穴
１６       隅棟下地材
１７       発泡弾性止水部材
１８       桟瓦頭見付け面
１９       裏面水平部
２０       尻部水返し
２１       パッキン付きビス
Ｌ１       隅棟瓦高さ寸法
Ｌ２       桟瓦高さ寸法
【図１】
2018066247.tif 000003
【図２】
2018066247.tif 000004
【図３】
2018066247.tif 000005
【手続補正書】
【提出日】平成29年12月6日(2017.12.6)
【手続補正１】
【補正対象書類名】明細書
【補正対象項目名】全文
【補正方法】変更
【補正の内容】
【発明の詳細な説明】
【技術分野】
【０００１】
本発明は、屋根の隅棟部に葺設される隅棟瓦に関する。
【背景技術】
【０００２】
従来技術の特許文献１では、屋根に葺設された桟瓦が流れ方向で階段状に葺設されるのに対し、隅棟瓦も同様に階段状に葺設する事で桟瓦との葺設形態を一致させ、桟瓦と隅棟瓦に統一性を具有させ、隅棟部の機能美の向上を図る提案がされている。
【先行技術文献】
【特許文献】
【０００３】
【特許文献１】特開平３−２４７８４１号公報
【発明の概要】
【発明が解決しようとする課題】
【０００４】
図３に従来技術による隅棟瓦の投影図、断面図及び隅棟瓦と桟瓦の隅棟部に葺設した断面の状態を示した。従来技術の説明の箇所には図３の符号を記載する。
図３（ａ）は隅棟瓦の表面図、図１（ｂ）は隅棟瓦の裏面図、図１（ｃ）は隅棟瓦の左側面図、図１（ｄ）は隅棟瓦の正面図、図１（ｅ）は隅棟瓦の背面図、図１（ｆ）は隅棟瓦のＡ-Ａ断面図、図１（ｇ）は隅棟瓦と桟瓦の隅棟部に葺設した断面図を示している。
従来技術製品では、隅棟瓦の側部見付け面７が厚く２１ｍｍ〜２３ｍｍ程度の厚みのものが多い。
図3（ｆ）の断面図で示したとおり側部見付け面７は強度を出すために下方へ突出している。基本の厚さが１８ｍｍ〜２０ｍｍ程度であり、下方の突出リブが３ｍｍ程度なので側部見付け面７は２１ｍｍ〜２３ｍｍ程度の厚みになっている。
【０００５】
図３（ｃ）に示したとおり、隅棟瓦の頭見付け面６と側部見付け面７が接する箇所に側部立ち下がり面８を設けている。桟瓦２の桟瓦頭見つけ面１８と隅棟瓦の頭見付け面６は側部立ち下がり面８の距離分だけ離れる。この距離が大きいほど屋根への葺設時では桟瓦２と段違いに見えるため、隅棟瓦が桟瓦２の上に別部材として載っている印象が強なり桟瓦２と隅棟瓦との一体感に欠けていた。
【０００６】
図3（ｇ）の施工断面図で示したとおり、隅棟の施工時に隅棟の両側にある桟瓦２の上面に粘着防水するテープ状の防水部材１４を貼り防水をするが、熱などによる経時変化によって膨張収縮を繰り返し粘着力が弱くなり剥がれてくることがある。そのため、防水部材１４の剥がれを防止するために防水部材１４の端部に発泡弾性止水部材１７を貼り、隅棟下地材１６にパッキン付きビス２１で隅棟瓦本体１を留め付けることで隅棟瓦本体１の裏面で発泡弾性止水部材１７押さえるという煩雑な施工が必要であった。
【０００７】
しかし、単純に側部見付け面７を薄くすることは隅棟瓦の強度低下につながって割れやカケの問題が発生してしまう。本発明は、桟瓦２と隅棟瓦との一体感をもたせた美観を有し、かつ、葺設時に充分な強度を発揮出来る隅棟瓦を提供することを目的とする。
【課題を解決するための手段】
【０００８】
請求項１記載の本発明の隅棟瓦は、野地面の隅棟芯に隅棟下地が固定され、前記隅棟芯を挟んで平板状の桟瓦が葺設される瓦屋根の隅棟部で、前記隅棟部の両側にあるそれぞれの前記桟瓦の上面に配置される隅棟瓦であり、断面形状を山形形状に形成した隅棟瓦本体には、三角状に突出した頭部と、三角状に切り欠いた尻部と、山形形状の両端側に側部をとを形成し、前記頭部には下方に突出した頭見付け面を設け、前記側部には側部見付け面を設け、幅が長さよりも短い細長形状の隅棟瓦において、前記隅棟瓦本体の裏面には、外側に形成される側部下面切り欠きと、前記側部下面切り欠きの内側に形成される裏面平坦部と、中央部に形成される裏面水平部とを備え、前記裏面水平部が、前記裏面平坦部よりも厚く、前記側部下面切り欠きによって前記側部見付け面を薄くすることで、前記桟瓦の前記上面には、前記側部見付け面は当接せずに、前記裏面平坦部が重なり、前記隅棟芯を跨ぎ、前記桟瓦の前記上面に貼られて粘着防水するテープ状の防水部材を、前記裏面平坦部によって前記桟瓦の前記上面に押さえつけることを特徴とする。
【０００９】
請求項２記載の本発明は、請求項１に記載の隅棟瓦において、前記尻部の下面を切り欠いた尻部下面切り欠きを設け、前記頭見付け面の下方突出寸法を前記隅棟瓦を葺設した際に前記頭部の下面と前記尻部の上面との間に隙間を有する寸法としたことを特徴とする。
【００１０】
請求項３記載の本発明は、請求項１又は請求項２に記載の隅棟瓦において、前記頭見付け面と前記側部見付け面とが接する箇所に側部立ち下がり面を設け、前記側部立ち下がり面と接する前記頭見付け面の両側を曲面にした頭見付け曲面を設けたことを特徴とする。
【００１１】
請求項４記載の本発明の隅棟瓦を葺設した隅棟構造は、請求項１から請求項３のいずれかに記載の隅棟瓦を葺設した隅棟構造であって、前記隅棟部において、前記裏面平坦部が前記桟瓦の前記上面に載り、前記隅棟瓦の外周の下面は宙に浮いていることを特徴とする。
【発明の効果】
【００１２】
本発明の隅棟瓦によれば、隅棟瓦の側部見付け面を薄くすることで、葺設時において桟瓦と隅棟瓦との一体感をもたせた美観を有し、かつ、側部見付け面を薄くしても隅棟瓦が強度低下せず、葺設時に充分な強度を発揮することができる。
【図面の簡単な説明】
【００１３】
【図１】本発明の実施例による隅棟瓦の投影図、断面図及び斜視図
【図２】本発明の実施例による隅棟瓦と桟瓦の隅棟部に葺設した状態を示す斜視図及び断面図
【図３】従来技術による隅棟瓦の投影図、断面図及び隅棟瓦と桟瓦の隅棟部に葺設した状態を示す断面図
【発明を実施するための形態】
【００１４】
本発明の第１の実施の形態による隅棟瓦は、野地面の隅棟芯に隅棟下地が固定され、前記隅棟芯を挟んで平板状の桟瓦が葺設される瓦屋根の隅棟部で、前記隅棟部の両側にあるそれぞれの前記桟瓦の上面に配置される隅棟瓦であり、断面形状を山形形状に形成した隅棟瓦本体には、三角状に突出した頭部と、三角状に切り欠いた尻部と、山形形状の両端側に側部とを形成し、前記頭部には下方に突出した頭見付け面を設け、前記側部には側部見付け面を設け、幅が長さよりも短い細長形状の隅棟瓦において、前記隅棟瓦本体の裏面には、外側に形成される側部下面切り欠きと、前記側部下面切り欠きの内側に形成される裏面平坦部と、中央部に形成される裏面水平部とを備え、前記裏面水平部が、前記裏面平坦部よりも厚く、前記側部下面切り欠きによって前記側部見付け面を薄くすることで、前記桟瓦の前記上面には、前記側部見付け面は当接せずに、前記裏面平坦部が重なり、前記隅棟芯を跨ぎ、前記桟瓦の前記上面に貼られて粘着防水するテープ状の防水部材を、前記裏面平坦部によって前記桟瓦の前記上面に押さえつけるものである。本実施の形態によれば、側部見付け面を薄くすることで桟瓦と隅棟瓦の一体感をもたせた美観を有することができ、かつ、側部下面を切り欠くことで隅棟瓦の葺設時に側部見付け面は桟瓦上面と当接しないため、側部見付け面に荷重をかけることなく葺設できる。また、テープ状の防水部材を裏面平坦部で押さえることで経時変化で起こる防水部材の粘着性の低下を補うことができ、長期に防水性能を保持することができる。
【００１５】
本発明の第２の実施の形態は、第１の実施の形態による隅棟瓦において、前記尻部の下面を切り欠いた尻部下面切り欠きを設け、前記頭見付け面の下方突出寸法を前記隅棟瓦を葺設した際に前記頭部の下面と前記尻部の上面との間に隙間を有する寸法としたものである。本実施の形態によれば、尻部下面が桟瓦上面と当接せず、頭部下面が隅棟瓦の尻部上面と当接しないため、頭尻方向での剪断応力を弱めることができ、側部見付け面を薄くしても充分な強度を得ることができる。
【００１６】
本発明の第３の実施の形態は、第１又は第２の実施の形態による隅棟瓦において、前記頭見付け面と前記側部見付け面とが接する箇所に側部立ち下がり面を設け、前記側部立ち下がり面と接する前記頭見付け面の両側を曲面にした頭見付け曲面を設けたものである。本実施の形態によれば、頭見付け面を曲面にすることで側部立ち下がり面を小さくすることができ、桟瓦の頭見付け面からの出っ張り感を抑え、桟瓦と隅棟瓦の一体感をもたせた美観を有することができる。
【００１７】
本発明の第４の実施の形態による隅棟瓦を葺設した隅棟構造は、第１から第３のいずれかに記載の隅棟瓦を用い、前記隅棟部において、前記裏面平坦部が前記桟瓦の前記上面に載り、前記隅棟瓦の外周の下面は宙に浮いているものである。本実施の形態によれば、隅棟瓦に掛かった荷重は隅棟瓦の外周部には掛からず裏面内側の裏面平坦部に掛かるため、葺設時の強度が向上し、割れやカケを発生させにくい構造とすることができる。
【実施例】
【００１８】
以下本発明の実施例による隅棟瓦について説明する。
図１は実施例による隅棟瓦の投影図、断面図及び斜視図である。
図１（ａ）は隅棟瓦の表面図、図１（ｂ）は隅棟瓦の裏面図、図１（ｃ）は隅棟瓦の左側面図、図１（ｄ）は隅棟瓦の正面図、図１（ｅ）は隅棟瓦の背面図、図１（ｆ）は隅棟瓦のＡ-Ａ断面図、図１（ｇ）は隅棟瓦の斜視図を示している。なお、本明細書及び図面においては、同一の符号が付された構成要素は、実質的に同一の構造または機能を有するものとする。
【００１９】
実施例による隅棟瓦は、隅棟瓦本体１と、尻部３と、頭部４と、側部５と、頭見付け面６と、側部見付け面７と、側部立ち下がり面８と側部下面切り欠き９と、尻部下面切り欠き１０と頭見付け曲面１１と裏面平坦部１２と、釘穴１５と、裏面水平部１９と、尻部水返し２０を備えている。
隅棟瓦は、断面形状を山形形状に形成した隅棟瓦本体１と三角状に突出した頭部４と三角状に切り欠いた尻部３と山形形状の両端側に側部５を設け、頭部４は下方に突出した頭見付け面６を設け、側部５は側部見付け面７を設け、隅棟瓦本体１の幅は長さよりも短く、細長形状になっている。
隅棟瓦本体１の厚さは従来技術による隅棟瓦より薄く、側部５で側部下面を切り欠くことで側部見付け面７は薄くなっている。
隅棟瓦本体１の裏面は裏面外側に側部下面切り欠き９があり、その内側に裏面平坦部１２があり、中央部は葺設時に水平となる裏面水平部１９を備え中心から左右線対称となっている。
隅棟瓦本体１の断面形状は表面が山形形状で裏面の中央部は水平なので中心部が最も厚く、頭尻方向での剪断強度において強度向上に寄与している。
尻部３の端には尻部水返し２０を設けることで、頭見付け方向からの風雨に対し防水性能を向上させることができる。
【００２０】
実施例による隅棟瓦の山形形状の頂部角度は隅棟の角度と桟瓦の戻り勾配により最適な角度は変化する。
隅棟を有する寄棟屋根の場合、屋根勾配は４寸勾配〜５寸勾配が多く、平板状の桟瓦２の戻り勾配が１寸〜１．２寸勾配あるため、隅棟瓦の頂部角度は１４０〜１５５度の範囲の角度が好ましい。
三角状に突出した頭部４と三角状に切り欠いた尻部３は図１（ａ）に示すように約９０度であり、隅棟瓦の適用屋根勾配を最も多い４寸〜５寸勾配とした場合、その角度は９２〜９４度が好ましい。
隅棟瓦本体１の幅は１８０〜２４０ｍｍ、長さは５００〜５２０ｍｍが好ましい。
【００２１】
本発明の実施例の側部見付け面７の厚さは１１ｍｍであり、７〜１２ｍｍの範囲が好ましく、従来技術による隅棟瓦の側部見付け面７の厚さと比べると１／３〜１／２程度と側部見付け面７は薄い。
隅棟瓦の側部見付け面７は、従来技術による隅棟瓦の側部見付け面７の１／３〜１／２の厚さと薄いが、側部下面切り欠き９を設けることで側部見付け面７に荷重が掛からず、側部下面切り欠き９の内側の裏面平坦部１２で荷重を受けるため、強度が向上し割れや欠け防止に効果を発揮する。
側部下面切り欠き９の切り欠き寸法は、２〜４ｍｍが好ましい。
【００２２】
図２は実施例による隅棟瓦と桟瓦の隅棟部に葺設した状態を示す斜視図及び断面図である。
図２（ａ）は隅棟瓦と桟瓦の隅棟部に葺設した状態を示す斜視図、図２（ｂ）は図２（ａ）の状態でのＢ-Ｂ断面図、図２（ｃ）は図２（ｂ）の隅棟瓦の重なり部の拡大図を示している。なお、本明細書及び図面においては、同一の符号が付された構成要素は、実質的に同一の構造または機能を有するものとする。
実施例による隅棟瓦は、尻部３の下面を切り欠いた尻部下面切り欠き１０を設け、頭見付け面６の下方突出寸法が隅棟瓦を葺設した際に隅棟瓦の頭部下面と隅棟瓦の尻部上面との間に隙間１３を有する寸法とする。
隅棟瓦の裏面において尻部下面切り欠き１０の内側には側部下面切り欠き９と、裏面平坦部１２と、裏面水平部１９を備えている。
尻部下面切り欠き１０を設けることで尻部裏面端部は葺設時に宙に浮いている状態になり割れや欠け防止に効果を発揮する。
尻部下面切り欠き１０の切り欠き寸法は、２〜４ｍｍが好ましい。
下方突出寸法は、側部見付け面７と平行方向で１７〜２３ｍｍが好ましく、側部見付け面７の厚さと桟瓦の頭見付け面１８の厚さ寸法により下方突出寸法は変化する。
隅棟瓦の頭部下面と隅棟瓦の尻部上面との間に隙間１３を設ける寸法は、隅棟瓦高さ寸法Ｌ１が桟瓦高さ寸法Ｌ２より小さいことが条件となる。
隅棟瓦高さ寸法Ｌ１は、２９〜３１ｍｍが好ましく、桟瓦高さ寸法Ｌ２は、３１〜３３ｍｍが好ましい。
Ｌ２寸法−Ｌ１寸法＝隙間１３の式で算出することができる。
隅棟瓦は細長形状なので隅棟瓦本体１を薄くすると頭尻方向で剪断しやすくなるが、尻部下面切り欠き１０と隅棟瓦の頭部下面と隅棟瓦の尻部上面との間に隙間１３を備えることで頭尻方向の剪断応力に対する強度が向上する。
尻部上面の端に尻部水返し２０を備えることで隙間１３があっても頭見付け方向からの風雨に対して防水性能を発揮することができる。
【００２３】
隅棟瓦の頭見付け面６と側部見付け面７とが接する箇所に側部立ち下がり面９を設け、前記側部立ち下がり面８と接する頭見付け面６の両側を曲面にした頭見付け曲面１１を設ける。
頭見付け面６の両側を曲面にすることで側部立ち下がり面８の長さ寸法を短くすることができ、桟瓦２の桟瓦頭見つけ面１８と隅棟瓦の頭見付け面６が側部立ち下がり面８の距離分だけ離れる。この距離が小さいほど屋根への葺設時に桟瓦頭見付け面１８と隅棟瓦の頭見付け曲面１１が近くなり桟瓦２と隅棟瓦に一体感がでる。
【００２４】
平板状の桟瓦２が葺設される瓦屋根の隅棟部で、隅棟の両側にある隅棟に合わせてカットした桟瓦２の上面に粘着防水するテープ状の防水部材１４を貼り、前記防水部材１４上面を隅棟瓦の葺設時に隅棟瓦の側部下面切り欠き９の内側に設けた裏面平坦部１２で押さえられる構造とする。
野地面の隅棟芯に隅棟下地１６を固定し、隅棟芯を跨いでカットした桟瓦の上面に防水部材１４を貼り、隅棟瓦をパッキン付きビス２１で隅棟下地１６に固定することで裏面平坦部１２により防水部材１４の端を押さえ、防水部材１４の剥がれを防止することができる。
直接裏面平坦部１２で防水部材１４の端を押さえることができるので、従来技術で使用する発泡弾性止水部材１７を使用することがなく施工も簡略化ができるので、材料と手間の両方をコストダウンできる。
【００２５】
隅棟瓦を葺設した隅棟構造で平板状の桟瓦２が葺設される瓦屋根で隅棟の両側にある桟瓦
２の上面に隅棟瓦を葺設する隅棟部において、前記隅棟瓦の側部下面切り欠き９及び尻部下面切り欠き１０の内側に設けた裏面平坦部１２で桟瓦２の上面に載り、前記隅棟瓦の外周の下面は宙に浮いている構造とする。
隅棟瓦本体１の厚みを全体的に３割ほど薄くすることで、側部見付け面７を薄くし、桟瓦２と隅棟瓦の一体感をもたすためには、屋根瓦として使用上問題の無い強度を発揮する必要がある。
隅棟瓦の外周部が宙に浮き、裏面平坦部１２で桟瓦２の上に載ることで、隅棟瓦の裏面内側に荷重が掛かることとなり、幅方向、長さ方向共に剪断応力に対する強度が向上する。
【産業上の利用可能性】
【００２６】
本発明は、平板状の桟瓦における隅棟部での隅棟瓦として適している。
【符号の説明】
【００２７】
１  隅棟瓦本体
２  桟瓦
３  尻部
４  頭部
５  側部
６  頭見付け面
７  側部見付け面
８  側部立ち下がり面
９  側部下面切り欠き
１０  尻部下面切り欠き
１１  頭見付け曲面
１２  裏面平坦部
１３  隙間
１４  防水部材
１５  釘穴
１６  隅棟下地材
１７  発泡弾性止水部材
１８  桟瓦頭見付け面
１９  裏面水平部
２０  尻部水返し
２１  パッキン付きビス
Ｌ１  隅棟瓦高さ寸法
Ｌ２  桟瓦高さ寸法
【手続補正２】
【補正対象書類名】特許請求の範囲
【補正対象項目名】全文
【補正方法】変更
【補正の内容】
【特許請求の範囲】
【請求項１】
野地面の隅棟芯に隅棟下地が固定され、前記隅棟芯を挟んで平板状の桟瓦が葺設される瓦屋根の隅棟部で、前記隅棟部の両側にあるそれぞれの前記桟瓦の上面に配置される隅棟瓦であり、
断面形状を山形形状に形成した隅棟瓦本体には、三角状に突出した頭部と、三角状に切り欠いた尻部と、山形形状の両端側に側部とを形成し、
前記頭部には下方に突出した頭見付け面を設け、
前記側部には側部見付け面を設け、
幅が長さよりも短い細長形状の隅棟瓦において、
前記隅棟瓦本体の裏面には、外側に形成される側部下面切り欠きと、前記側部下面切り欠きの内側に形成される裏面平坦部と、中央部に形成される裏面水平部とを備え、
前記裏面水平部が、前記裏面平坦部よりも厚く、
前記側部下面切り欠きによって前記側部見付け面を薄くすることで、前記桟瓦の前記上面には、前記側部見付け面は当接せずに、前記裏面平坦部が重なり、
前記隅棟芯を跨ぎ、前記桟瓦の前記上面に貼られて粘着防水するテープ状の防水部材を、前記裏面平坦部によって前記桟瓦の前記上面に押さえつける
ことを特徴とする隅棟瓦。
【請求項２】
前記尻部の下面を切り欠いた尻部下面切り欠きを設け、前記頭見付け面の下方突出寸法を前記隅棟瓦を葺設した際に前記頭部の下面と前記尻部の上面との間に隙間を有する寸法としたことを特徴とする請求項１記載の隅棟瓦。
【請求項３】
前記頭見付け面と前記側部見付け面とが接する箇所に側部立ち下がり面を設け、前記側部立ち下がり面と接する前記頭見付け面の両側を曲面にした頭見付け曲面を設けたことを特徴とする請求項１又は請求項２に記載の隅棟瓦。
【請求項４】
請求項１から請求項３のいずれかに記載の隅棟瓦を葺設した隅棟構造であって、前記隅棟部において、前記裏面平坦部が前記桟瓦の前記上面に載り、前記隅棟瓦の外周の下面は宙に浮いていることを特徴とする隅棟瓦を葺設した隅棟構造。